(57)【要約】【課題】  ポケットに収納されたコインなどの物品がポケットから脱落しにくく、ポケットへの物品の出し入れが容易であり、しかも簡単に製造可能なポケット構造およびこれを有するズボンを提供すること。【解決手段】  物品を収納する袋体３５と、前記袋体３５の入り口部に縫着または接着して設けられている前記物品の脱落防止手段とを備えるポケット構造であって、前記脱落防止手段が、布製のテーパー状のリング１１から構成され、前記布製のテーパー状のリング１１が、前記袋体３５の入り口部の外径に一致する開口部Ａと、前記袋体３５に縫着または接着されていない、前記開口部Ａよりも小さい外径を有する自由端部からなる開口部Ｂとを有するポケット構造およびこれを備えたズボン１０。【選択図】  図１
2007016323.tif 000002
【特許請求の範囲】
【請求項１】
物品を収納する袋体と、前記袋体の入り口部に縫着または接着して設けられている前記物品の脱落防止手段とを備えるポケット構造であって、
前記脱落防止手段が、布製のテーパー状のリングから構成され、
前記布製のテーパー状のリングが、前記袋体の入り口部の外径に一致する開口部Ａと、前記袋体に縫着または接着されていない、前記開口部Ａよりも小さい外径を有する自由端部からなる開口部Ｂとを有することを特徴とするポケット構造。
【請求項２】
前身頃に設けられた脇ポケットおよび／または後身頃に設けられた後ポケットを有するズボンにおいて、前記脇ポケットおよび／または後ポケットが、請求項１に記載のポケット構造を有することを特徴とするズボン。
【発明の詳細な説明】
【技術分野】
【０００１】
本発明は、ポケット構造およびこれを有するズボンに関するものであり、詳しくは、ポケットに収納されたコインなどの物品がポケットから脱落しにくく、ポケットへの物品の出し入れが容易であり、しかも簡単に製造可能なポケット構造およびこれを有するズボンに関するものである。
【背景技術】
【０００２】
図３は、従来のポケット構造を有するズボンを説明するための図である。図３において、ズボン３０は、前身頃３１および後身頃３２から主に構成され、前身頃３１には脇ポケット３３が、後身頃３２には後ポケット３４が設けられている。脇ポケット３３は、物品を収納する袋体３５がポケットの切り開き部３６に縫着されている。なお図示していないが、後ポケット３４も同様の構造を有する。
しかしながら、このような従来のズボンを着用して着座した場合、ポケットに収納されたコインなどの物品がそこから外部に脱落してしまうことがある。これは脇ポケット３３および後ポケット３４が着座によって横向きになることにより、コインなどの物品が袋体３５からこぼれ落ちるためである。
なお、ポケットに収納された物品の脱落を防止する手段を講じた衣類については、例えば特許文献１に開示されている。
【０００３】
【特許文献１】特開２００１−１４６６０７号公報
【発明の開示】
【発明が解決しようとする課題】
【０００４】
したがって本発明の目的は、ポケットに収納されたコインなどの物品がポケットから脱落しにくく、ポケットへの物品の出し入れが容易であり、しかも簡単に製造可能なポケット構造およびこれを有するズボンを提供することである。
【課題を解決するための手段】
【０００５】
請求項１の発明は、物品を収納する袋体と、前記袋体の入り口部に縫着または接着して設けられている前記物品の脱落防止手段とを備えるポケット構造であって、
前記脱落防止手段が、布製のテーパー状のリングから構成され、
前記布製のテーパー状のリングが、前記袋体の入り口部の外径に一致する開口部Ａと、前記袋体に縫着または接着されていない、前記開口部Ａよりも小さい外径を有する自由端部からなる開口部Ｂとを有することを特徴とするポケット構造である。
請求項２の発明は、前身頃に設けられた脇ポケットおよび／または後身頃に設けられた後ポケットを有するズボンにおいて、前記脇ポケットおよび／または後ポケットが、請求項１に記載のポケット構造を有することを特徴とするズボンである。
【発明の効果】
【０００６】
本発明のポケット構造は、布製のテーパー状のリングからなる脱落防止手段を備えているため、ポケットに収納されたコインなどの物品がポケットから脱落しにくく、ポケットへの物品の出し入れが容易であり、しかも簡単に製造可能である。また、該ポケット構造を備えたズボンは、上記と同様の効果を奏する。
【発明を実施するための最良の形態】
【０００７】
以下、本発明をさらに説明する。
図１は、本発明のポケット構造を有するズボンを説明するための図である。図１において、ズボン１０は、前身頃３１および後身頃３２から主に構成され、前身頃３１には脇ポケット３３が、後身頃３２には後ポケット３４が設けられている。脇ポケット３３は、物品を収納する袋体３５がポケットの切り開き部３６に縫着されている。なお図示していないが、後ポケット３４も同様の構造を有する。ここまでの構造は、図３で例示した従来のズボンと同様である。本発明のポケット構造を有するズボンは、脱落防止手段として布製のテーパー状のリング１１を備えていることに特徴を有する。
【０００８】
図２は、布製のテーパー状のリングおよびこれを備えたポケット構造を説明するための図である。
図２（ａ）において、布製のテーパー状のリング１１は、袋体３５の入り口部（ポケットの切り開き部３６に縫着されている部分）の外径に一致する開口部Ａと、前記開口部Ａよりも小さい外径を有する開口部Ｂとを有する。そしてこの開口部Ａが、袋体３５の入り口部に縫着または接着され、開口部Ｂが袋体３５の内部に存在するように配置される。開口部Ｂは、袋体３５に縫着または接着されておらず、自由端部を有する。
本発明のポケット構造を有するズボンを着用して着座した場合、例えば脇ポケット３３が図２（ｂ）に示すように横向きになったとしても、袋体３５と開口部Ｂの自由端部との間にコインなどの物品２１が挟まって入り込み、袋体３５からこぼれ落ちることがない。
また、袋体３５の入り口部にファスナー等を設ける手段と比べ、リング１１は布製であり手のポケットへの出し入れに悪影響を与えず、物品の出し入れが容易である。また、本発明のポケット構造では布製のテーパー状のリング１１を作成しこれを袋体３５の入り口部に開口部Ａを縫着または接着するだけで効果を奏するため、製造が容易である。
【０００９】
前記では、ズボンの脇ポケットを例にとり説明したが、ズボンの後ポケットでも本発明のポケット構造を採用することにより同様の効果を奏する。しかし、着座した場合は、脇ポケットの横向きが顕著となるため、脇ポケットに本発明のポケット構造を採用した場合に、とくに有利な効果を奏する。また、本発明のポケット構造は、シャツなどの上着のポケットにも好適に採用できる。
【００１０】
開口部Ａと開口部Ｂの直径の比率はとくに制限されないが、開口部Ａに対し開口部Ｂの直径を１０％〜３０％減じるのが好ましい。また、リング１１の袋体３５の奥行き方向に伸びる長さも特に制限するものではないが、例えば袋体３５の奥行き方向に対し、１０％〜５０％程度が好ましい。
【産業上の利用可能性】
【００１１】
本発明のポケット構造は、布製のテーパー状のリングからなる脱落防止手段を備えているため、ポケットに収納されたコインなどの物品がポケットから脱落しにくく、ポケットへの物品の出し入れが容易であり、しかも簡単に製造可能である。また、該ポケット構造を備えたズボンは、上記と同様の効果を奏する。
【図面の簡単な説明】
【００１２】
【図１】本発明のポケット構造を有するズボンを説明するための図である。
【図２】布製のテーパー状のリングおよびこれを備えたポケット構造を説明するための図である。
【図３】従来のポケット構造を有するズボンを説明するための図である。
【符号の説明】
【００１３】
１０    ズボン
１１    布製のテーパー状のリング
３１    前身頃
３２    後身頃
３３    脇ポケット
３４    後ポケット
３５    袋体
【図１】
2007016323.tif 000003
【図２】
2007016323.tif 000004
【図３】
2007016323.tif 000005